(57)【要約】【課題】  効率的に身体を加温でき、また温度調節器を別途備える必要なく適温を発生させることができ、その上電気磁気的作用等の各作用も得られるような発熱体付き衣類の開発が望まれていた。【解決手段】  本発明の発熱体付き衣類は、電力供給を受けて発熱する発熱体が、衣類内側の頸周辺部に横長に、脊椎周辺部に縦長に夫々備えられ、発熱体にはテープ状の細長であって幅と全長の調節により発熱温度の調節が可能な面状発熱体が設けられ、面状発熱体の片面又は両面にゲルマニウム粉末、セラミックス粉末、マイナスイオン発生鉱石粉末、のいずれか一又は二以上が直接又は仕切り材を介して間接的に付着されたものとしたものである。面状発熱体をフィルム状のシートに発熱体が薄膜状に成形されたものとしたり、面状発熱体の片面に外部への熱の放散を防止する遮熱材を備えることもできる。【選択図】図１
2009062638.tif 000002
【特許請求の範囲】
【請求項１】
電力供給を受けて発熱する発熱体が、衣類内側の頸周辺部に横長に、脊椎周辺部に縦長に夫々備えられ、発熱体にはテープ状の細長であって幅と全長の調節により発熱温度の調節が可能な面状発熱体が設けられ、面状発熱体の片面又は両面にゲルマニウム粉末、セラミックス粉末、マイナスイオン発生鉱石粉末、ゲルマニウム粉末にセラミックス粉末とマイナスイオン発生鉱石粉末の一方又は双方が混合された混合粉末のいずれか一又は二以上が直接又は仕切り材を介して間接的に付着されたものであることを特徴とする発熱体付き衣類。
【請求項２】
請求項１記載の発熱体付き衣類において、面状発熱体はフィルム状のシートに発熱体が薄膜状に成形されたものであることを特徴とする発熱体付き衣類。
【請求項３】
請求項１又は請求項２記載の発熱体付き衣類において、面状発熱体の外側面に外部への熱の放散を防止する遮熱材が備えられたことを特徴とする発熱体付き衣類。
【発明の詳細な説明】
【技術分野】
【０００１】
本発明は、着用者の身体を温める防寒具又は健康増進具として使用可能な発熱体付き衣類に関するものである。
【背景技術】
【０００２】
従来、着用者の身体を温めて防寒具や健康増進具として使用可能な発熱体付き衣類には種々のものがあり、その代表的なものとして衣類の内側に発熱体を備えてなるものがある（特許文献１、２）。また、防寒具や健康増進具としては、前記特許文献１、２のような衣類タイプのものに限らず、身体に巻きつけ可能なベルトに発熱体を内蔵させた身体加温具もある（特許文献３）。この身体加温具は、ベルトの表面にゲルマニウム片やセラミックス片や電気石の粒状物を付着させて、温熱作用に加えて電気磁気的作用や遠赤外線作用やマイナスイオン作用等の各作用を発揮させるようにすることもできる。
【０００３】
【特許文献１】特開２０００−１９９１０９号公報
【特許文献２】実開平７−１２４２３号公報
【特許文献３】実用新案登録第３０６１４５０号公報
【発明の開示】
【発明が解決しようとする課題】
【０００４】
前記特許文献１〜３記載の発熱体付き衣類や身体加温具によっても、着用者の身体を温めたり、電気磁気的作用や遠赤外線作用やマイナスイオン作用等の各作用によって健康増進に役立てたりすることは可能であるが、身に纏うだけでより効率的に身体を加温でき、また温度調節器を別途備える必要なく適温を発生させることができ、その上電気磁気的作用や遠赤外線作用やマイナスイオン作用等の各作用も得られるような発熱体付き衣類の開発が望まれていた。
【課題を解決するための手段】
【０００５】
本発明は、面積の小さい発熱体で効率よく身体を加温でき、温度調節器も必要なく、更に温熱作用に加えて各種健康増進作用が得られる発熱体付き衣類を提供するものである。
【０００６】
本件出願の請求項１記載の発熱体付き衣類は、電力供給を受けて発熱する発熱体を、衣類内側の頸周辺部に横長に、脊椎周辺部に縦長に夫々備え、発熱体にはテープ状の細長であって幅と全長の調節により発熱温度の調節が可能な面状発熱体を設け、面状発熱体の片面又は両面にゲルマニウム粉末、セラミックス粉末、マイナスイオン発生鉱石粉末、ゲルマニウム粉末にセラミックス粉末とマイナスイオン発生鉱石粉末の一方又は双方が混合された混合粉末のいずれか一又は二以上を直接又は仕切り材を介して間接的に付着させたものとしたものである。
【０００７】
本件出願の請求項２記載の発熱体付き衣類は、請求項１記載の発熱体付き衣類において、面状発熱体をフィルム状のシートに発熱体が薄膜状に成形されたものとしたものである。
【０００８】
本件出願の請求項３記載の発熱体付き衣類は、請求項１又は請求項２記載の発熱体付き衣類において、面状発熱体の外側面に外部への熱の放散を防止する遮熱材が備えられたものである。
【発明の効果】
【０００９】
本発明の発熱体付き衣類は次のような効果がある。
（１）発熱体が衣類内側の頸周辺部と脊椎周辺部に備えられているので、身に纏うだけで、身体を加温する際の重要部位である頸周辺部と脊椎周辺部を中心に加温することができ、面積の小さな発熱体であっても身体を効率的に温めることができる。
（２）発熱体には、テープ状の細長であって幅と全長の調節により発熱温度の調節が可能な面状発熱体が設けられているので、身体にとって最適な温度を発熱できるように予め設定しておけば、別途温度調節器を備える必要もなく、常時適温を発生させることができるようになる。
（３）面状発熱体の片面又は両面にゲルマニウムの粉末を付着させたので、温熱作用に加えて、ゲルマニウム由来の電気磁気的作用が得られ、血行が促進されて新陳代謝が活発になり、腰痛や首痛等の各種痛みの解消、冷え性の解消、疲労回復等に資する。また、内臓の各器官の働きも改善され、内臓疾患等の予防、治療にも効果的である。
（４）面状発熱体にセラミックスの粉末を付着させた場合は、セラミックス由来の遠赤外線作用が得られ、皮下深層の温度を上昇させて毛細血管を拡張させて血流を活発化させたり、自律神経を安定させたり、体内の有害物質の排出を促進したりすることができる。
（５）面状発熱体にマイナスイオン発生鉱石の粉末を付着させた場合は、マイナスイオン発生鉱石由来のマイナスイオン作用が得られ、ストレス緩和、疲労回復、精神安定・不眠の改善、集中力向上、血液のアルカリ化、粘性の低下による血液浄化、細胞膜の物質交流促進による新陳代謝促進、免疫力亢進、アレルギーの抑制、造血作用亢進、自律神経調整効果等の各種効果が得られる。
（６）ゲルマニウムの粉末、セラミックスの粉末、マイナスイオン発生鉱石の粉末のうち二以上を混合させて面状発熱体に付着させた場合、前記（３）〜（５）の各効果のうち二以上の効果を一つの面状発熱体で得ることができる。
（７）面状発熱体をフィルム状のシートに発熱体が薄膜状に成形されたものとしたので、面状発熱体を薄く形成することができ、発熱体付き衣類が嵩張らず大型化しない。
（８）面状発熱体の外側面に遮熱材を備えたので、外部への熱の放散が防止されるため、効率よく身体を加温することができ、消費電力を節約でき、ランニングコストの低減にも資する。
【発明を実施するための最良の形態】
【００１０】
（実施形態１）
本発明の発熱体付き衣類の実施形態の一例を図１〜図３に基づいて説明する。この発熱体付き衣類は、図１に示すように、ベスト状の衣類１の内側の頸周辺部２及び脊椎周辺部３に夫々発熱体４ａ、４ｂが設けられたものである。同図に示すように、頸周辺部２の発熱体４ａが横長に、脊椎周辺部３の発熱体４ｂが縦長に備えられ、発熱体４ａと発熱体４ｂとが略Ｔ字状になるように組合わされている。
【００１１】
前記発熱体４ａ、４ｂは電気供給を受けて発熱する発熱部材であって、図１、図２に示すように衣類１の内側に備え付け可能なシート状に形成されたものである。発熱体４ａ、４ｂには、図２に示すように、所定幅の面状発熱体５が、その全長が所定長になるように所定回数折り返され（蛇行され）、面状発熱体５が幅方向に複数本平行に並ぶようにして設けられている。発熱体４ａに備えられた面状発熱体５と発熱体４ｂに備えられた面状発熱体５とは直列に接続されている（図示しない）。また、面状発熱体５の両端には電源に接続するための引出線が接続されている（図示しない）。
【００１２】
前記発熱体４ａ、４ｂにおける面状発熱体５の全長と発熱温度は反比例の関係にあり、面状発熱体５の全長が短いほど面状発熱体５は高温を発する。また面状発熱体５の幅と発熱温度は比例の関係にあり、面状発熱体５の幅が広いほど面状発熱体５は高温を発する。従って、面状発熱体５の全長及び幅を調節することによって発熱温度を適温に調節することができる。
【００１３】
本実施形態では、一例として各数値を次のようにすることができる。頸周辺部２の発熱体４ａでは、図２に示すように、面状発熱体５の一辺の長さＬ1を約３８０ｍｍとして５回折り返し、面状発熱体５が幅方向に６本平行に並ぶようにして設ける。発熱体４ａにおける面状発熱体５の全長は約２２８０ｍｍとなる。面状発熱体５の幅Ｗ1は３ｍｍとしてある。脊椎周辺部３の発熱体４ｂでは、図２に示すように、面状発熱体５の一辺の長さＬ2を約４６０ｍｍとして５回折り返し、面状発熱体５が幅方向に６本平行に並ぶようにして設ける。発熱体４ｂにおける面状発熱体５の全長は約２７６０ｍｍとなる。面状発熱体５の幅Ｗ2は３ｍｍとしてある。発熱体４ａの面状発熱体５と発熱体４ｂの面状発熱体５とは直列に接続されているので、面状発熱体５の全長は約５０４０ｍｍとなる。面状発熱体５の全長及び幅の数値を前記各数値とした場合、面状発熱体５に電力を供給すると、面状発熱体５は常時３３℃〜３５℃前後の、身体の加温に適した温度の熱を発する。このとき、面状発熱体５の消費電力は、一時間当たり約１６６ｍＡであり、例えば容量が２０００ｍＡｈ程度、定格電圧が１１．１Ｖ程度のリチウムイオン電池を電源として用いた場合には、約１１時間２０分の連続使用が可能となる。
【００１４】
面状発熱体５としては、例えばステンレスといった熱伝導性の良好な各種金属製の薄い帯状のシート材の表面に電力供給を受けて発熱する発熱体が薄膜状に設けられたものである。面状発熱体５の厚さは３０μｍ程度とされている。
【００１５】
図３に示すように、面状発熱体５の両面はポリエチレンテレフタレート（ＰＥＴ）、ポリプロピレンナフタレート（ＰＥＮ）、ポリイミド樹脂等の絶縁樹脂６で被覆されている。絶縁樹脂６の厚さは例えば２５μｍとされている。絶縁樹脂６で被覆された面状発熱体５の片面側（内側）には、ゲルマニウムの粉末、セラミックスの粉末、マイナスイオン発生鉱石の粉末を混合させた混合粉末７が付着させられている。従って、面状発熱体５の発する熱による温熱作用に加え、ゲルマニウムに由来する電気磁気的作用、セラミックスに由来する遠赤外線作用、マイナスイオン発生鉱石に由来するマイナスイオン作用の各種作用が同時に得られるようになる。前記混合粉末７における、ゲルマニウムの粉末、セラミックスの粉末、マイナスイオン発生鉱石の粉末の各粉末の混合比率は任意とすることができる。図３に示すように、付着した混合粉末７の表面は更に絶縁樹脂６で被覆され、混合粉末７が剥離しないようにカバーされている。
【００１６】
前記ゲルマニウムには、ゲルマニウム純度が９９％以上の高純度の有機ゲルマニウム（(GeCH2CH2COOH)2O3）を使用するのが望ましい。このような有機ゲルマニウムを粉末化したものを面状発熱体５の表面に付着させることによって、面状発熱体５の発する熱による温熱作用に加え、ゲルマニウム由来の電気磁気的作用が得られ、血行が促進されて新陳代謝が活発になり、腰痛や首痛等の各種痛みの解消、冷え性の解消、疲労回復等に役立つようになる。また、内臓の各器官の働きも改善され、内臓疾患等の予防、治療にも効果的である。
【００１７】
前記セラミックスは、熱エネルギーを吸収して遠赤外線を放射するものである。このセラミックスの粉末としては、例えば、福島県等で産出される古代腐食性鉱物を粉末状にして１２００℃の熱で焼成せしめたものを使用することができる。このようなセラミックス粉末を面状発熱体５の表面に付着させることによって遠赤外線作用が得られ、皮下深層の温度を上昇させて毛細血管を拡張させて血流を活発化させたり、自律神経を安定化させたり、体内の有害物質の排出を促進したりすることができる。
【００１８】
前記マイナスイオン発生鉱石としては、天然鉱石を用いる。この天然鉱石は、シリカ（珪素）６９．２％、酸化アルミ１１．０％、酸化二鉄０．９％、酸化マグネシウム０．６％、酸化カルシウム１．３％、酸化ナトリウム３．３％、酸化カリウム３．１％、無水燐酸０．２％、付着水１０．２％の各成分からなるものである。この鉱石は、マイナスイオンのみならず遠赤外線を発生させることもできる。このようなマイナスイオン発生鉱石を粉末化させたものを面状発熱体５の表面に付着させることによってマイナスイオン作用が得られ、ストレス緩和、疲労回復、精神安定・不眠の改善、集中力向上、血液のアルカリ化、粘性の低下による血液浄化、細胞膜の物質交流促進による新陳代謝促進、免疫力亢進、アレルギーの抑制、造血作用亢進、自律神経調整効果等の各種効果が得られるようになる。
【００１９】
本実施形態の発熱体４ａ、４ｂにおいては、図２、図３に示すように、折り返されて備えられた面状発熱体５の混合粉末７を付着させた側の面側（内面側）に、面状発熱体５を被覆する布製のカバー８が備えられ、他面側（外面側）には熱の放散を防ぐための遮熱材９が備えられている。図３に示すように、発熱体４ａ、４ｂは、遮熱材９側を衣類内側に貼り付けて取り付けられている。
【００２０】
衣類１には発熱体４ａ、４ｂの電源となる電池（図示しない）を取り付けて自在に持ち運べるようにすることもできる。その場合、電池としては、例えば容量が２０００ｍＡｈ程度、定格電圧が１１．１Ｖ程度の充電式のリチウムイオン電池を用いる等することができる。この電池に引出線を接続させることにより、発熱体４ａ、４ｂに電力を供給することができる。また、スイッチを備えて電力供給をオン・オフ可能とすることもできる。前記電池に代えて商用電源を電源として使用することもできる。この場合、電圧を１２Ｖ程度まで減圧させて使用する。従って、屋外で使用する際は電池を電源として使用し、屋内で使用する際は商用電源を電源として使用するなど、場所や状況に応じた使い分けも可能となる。
【００２１】
本発明の発熱体付き衣類に使用される衣類１は、図１に示すようなベスト状のものには限られず、衣類内側の頸周辺部及び脊椎周辺部に前記発熱体が配置可能であれば、シャツ、ジャケット、コート等、任意の形態の衣類とすることができる。
【００２２】
（実施形態２）
発熱体４ａ、４ｂにおける面状発熱体５の配置は、図２に示すように、１本の長尺の面状発熱体５を５回折り返して、面状発熱体５が幅方向に６本平行に並ぶようにして設ける配置には限られず、例えば図４に示すように、１本の長尺の面状発熱体５を多数回折り返して、面状発熱体５が長手方向に多数本平行に並ぶようにして設ける配置とする等、任意とすることができる。また、図５に示すように、６本の短尺の面状発熱体５を折り返さずに幅方向に平行に並べ、それら６本の短尺の面状発熱体５を連結線１０で直列に連結させるようにすることもできる。
【００２３】
（実施形態３）
本発明の発熱体付き衣類では、発熱体は、少なくとも衣類内側の頸周辺部と脊椎周辺部に備えられていれば、衣類内側の他の部位にも備えることができる。また、頸周辺部２の発熱体４ａと脊椎周辺部３の発熱体４ｂの組合わせ方も、図１、図２に示すようなＴ字状には限られず、頸周辺部２及び脊椎周辺部３を加温可能であれば、図６（ａ）（ｂ）に示すように略Ｖ字状やＹ字状等に組合わせて配置することもできる。
【００２４】
（実施形態４）
面状発熱体５に付着させるのは、ゲルマニウムの粉末、セラミックスの粉末、マイナスイオン発生鉱石の粉末を全て混合させた混合粉末には限られず、ゲルマニウムの粉末を単独で付着させたり、ゲルマニウムの粉末とセラミックスの粉末の混合粉末を付着させたり、ゲルマニウムの粉末とマイナスイオン発生鉱石の粉末の混合粉末を付着させたりすることもできる。また、これらの粉末を、面状発熱体５の両面に付着させることも可能である。更に、これらの粉末は、仕切り材を介して間接的に面状発熱体５に付着させることもできる。
【産業上の利用可能性】
【００２５】
本発明の発熱体付き衣類は、衣類型の防寒具又は健康増進具に限らず、身体に巻きつけ可能なベルト型の身体加温具等、種々のタイプの身体加温具に応用することができる。
【図面の簡単な説明】
【００２６】
【図１】本発明の発熱体付き衣類の実施形態の一例を示す斜視図。
【図２】図１に示す発熱体付き衣類における発熱体を示した平面説明図。
【図３】図１に示す発熱体付き衣類における発熱体を示した部分断面説明図。
【図４】本発明の発熱体付き衣類の実施形態の他の一例における発熱体を示した平面説明図。
【図５】本発明の発熱体付き衣類の実施形態の他の一例における発熱体を示した平面説明図。
【図６】（ａ）（ｂ）は本発明の発熱体付き衣類の実施形態の他の一例における発熱体の配置を示した斜視図。
【符号の説明】
【００２７】
１  衣類
２  頸周辺部
３  脊椎周辺部
４ａ  発熱体（頸周辺部）
４ｂ  発熱体（脊椎周辺部）
５  面状発熱体
６  絶縁樹脂
７  混合粉末
８  カバー
９  遮熱材
１０  連結線
【図１】
2009062638.tif 000003
【図２】
2009062638.tif 000004
【図３】
2009062638.tif 000005
【図４】
2009062638.tif 000006
【図５】
2009062638.tif 000007
【図６】
2009062638.tif 000008